(57)【要約】【課題】  間接活線工法において使用することができ、且つ作業現場の状況に拘わらず高い作業性を発揮することが可能な落下物防止ネットを提供することを目的とする。【解決手段】  本発明にかかる落下物防止ネット（防止ネット２００）の代表的な構成は、電線１１０が張架された電柱１０２における柱上作業時の落下物を捕捉する落下物防止ネットであって、電柱の腕金１０４に取り付けられる基部２１０と、基部に所定の角度で開いて固定された少なくとも２本のアーム２２０ａおよび２２０ｂを備えた支持具２０２と、支持具に取り付けられ落下物（巣１０８）を捕捉する略四角形状のメインネット２３０と、を備えたことを特徴とする。【選択図】  図２
2012205324.tif 000002
【特許請求の範囲】
【請求項１】
電線が張架された電柱における柱上作業時の落下物を捕捉する落下物防止ネットであって、
電柱の腕金に取り付けられる基部と、該基部に所定の角度で開いて固定された少なくとも２本のアームを備えた支持具と、
前記支持具に取り付けられ前記落下物を捕捉する略四角形状のメインネットと、
を備えたことを特徴とする落下物防止ネット。
【請求項２】
前記メインネットは、
その略中心に設けられ前記電柱の断面形状に対応した形状を有する取付孔と、
前記取付孔から該メインネットの外周縁まで至るスリットと、該スリット部分の縁に設けられ該スリットを閉鎖するファスナー部材と、
を備えることを特徴とする請求項１に記載の落下防止用ネット。
【請求項３】
当該落下物防止ネットは、ほぼ帯状のサブネットを更に備え、
前記サブネットは、下辺を前記メインネットに取付可能であり、該下辺と対向する上辺を、前記柱上作業時に作業員が搭乗する高所作業車のバケットに取付可能であることを特徴とする請求項１または２に記載の落下物防止ネット。
【請求項４】
前記アームは伸縮可能であることを特徴とする請求項１から３のいずれか１項に記載の落下物防止ネット。
【請求項５】
前記サブネットは、ファスナー部材によって前記メインネットに取り付けられることを特徴とする請求項３または４に記載の落下物防止ネット。
【発明の詳細な説明】
【技術分野】
【０００１】
本発明は、電線が張架された電柱における柱上作業時の落下物を捕捉する落下物防止ネットに関するものである。
【背景技術】
【０００２】
電線を張架された電柱には、変圧器や開閉器等を装柱するためのフレームである腕金が取り付けられている。この腕金は電柱に対し水平方向に張り出すように取り付けられていて、鳥にとってあたかも木の枝のような格好の営巣場所となっている。営巣の材料には導電体（例えばワイヤーハンガー）が混じることがあるため、巣は短絡事故の原因となり停電を招くおそれがある。このため、電柱における営巣の有無は定期的に点検され、営巣があった場合、巣は迅速に撤去される。
【０００３】
上記の撤去作業では、巣を、棒状の工具で突付いたりヤットコ状の工具で挟んだりして腕金から引き離し、網等によって捕捉する方法が一般的である。このとき、営巣材料等が落下すると、下方にある建築物や構造物、車輌に損傷を与えてしまう。このため、作業時には、落下が想定される範囲に作業区画を設定し、作業現場の下方に何もない状態とすることにより営巣材料等が落下しても支障がない状態にすることが好ましい。
【０００４】
しかし、作業現場においては、必ずしも十分な作業区画を確保できるとは限らず、建築物や構造物は容易には動かすことができない。そのため、そもそも営巣材料等を落下させないための落下防止対策が必要となる。そこで、特許文献１では、所定形状の枠体と、枠体に張設された網状体と、枠体に取り付けられた複数の係止部材とを備え、複数の係止部材のそれぞれが、電力送電関連構成物（電線、電柱、鉄塔、腕金、足場等）のいずれかに直接または間接的に着脱可能な地上落下防止用ネットが開示されている。特許文献１によれば、鳥の巣等の地上への落下防止性能が高く、作業時の安全性に優れるため、鳥の巣等の除去作業を安全に行うことができるとしている。
【先行技術文献】
【特許文献】
【０００５】
【特許文献１】特開平１１−３１２５４２号公報
【発明の概要】
【発明が解決しようとする課題】
【０００６】
特許文献１では、その地上落下防止用ネットの係止部材を、連結具を介して電線に連結している。しかしながら、例え連結具を介していたとしても、電線には電流が通電しているため物品を係止することは避けることが好ましい。また特許文献１の地上落下防止用ネットでは、撤去後の鳥の巣を網状体によって捕捉したとき、かかる鳥の巣による荷重はすべて電線にかかることになるため更に好ましくない。ここで、仮に特許文献１の地上落下防止用ネットの係止部材を腕金に取り付ければ、上記の課題を解決できるとも考えられる。しかし、特許文献１のすべての係止部材を腕金に取り付けると枠体が閉じてしまって網状体が広がらないと考えられるため、その中に鳥の巣を捕捉することは困難である。
【０００７】
更に、特許文献１の地上落下防止用ネットは、直線状の電線路であって、且つ腕金や電線が電柱から突出して装柱されている、いわゆる槍だし装柱の場合には容易に取り付け可能であり、その腕金や電線に営巣されている巣を好適に捕捉することができる。しかしながら、一般に、電線や腕金は電柱を挟んで複数本配置されている（通常装柱）。このような場合には、電柱が干渉してしまうため、特許文献１の地上落下防止用ネットは電柱への取り付けそのものが難しく、ましてやその電線や腕金に営巣されている巣を捕捉することは困難である。
【０００８】
また、屈曲した線路に配置される電柱では上述したように網状体が広がらないため鳥の巣を捕捉困難である。加えて、電柱の一方側のみに電線が張架されている場合、すなわち引き留め線を張架している電柱では、網状体の一辺を支持する係止部材は電線に張架可能であるが、その一辺に対向する辺を電線に張架することができない。故に、特許文献１の地上落下防止用ネットは、上記のような状況には適用困難であり、適用可能な現場が限られていた。
【０００９】
なお、特許文献１に記載されているように、地上落下防止用ネットは間接活線工具によって取り付け可能である。すなわち、間接活線方法に適用可能である。間接活線工法では、作業者は、絶縁加工が施された間接活線工法専用の遠隔操作棒を用い、作業箇所（充電部）の近接範囲外から充電部に直接触れずに作業を行う。これにより、配電系統での作業において従来行われていた直接活線工法に比して、作業者の感電災害のリスクを極めて少なくすることができ、且つ活線用保護具の着用や活線用防護具の装着が不要となるため、作業者の負担の軽減や作業時間の短縮を図ることも可能となる。
【００１０】
本発明は、このような課題に鑑み、間接活線工法において使用することができ、且つ作業現場の状況に拘わらず高い作業性を発揮することが可能な落下物防止ネットを提供することを目的としている。
【課題を解決するための手段】
【００１１】
上記課題を解決するために、本発明にかかる落下物防止ネットの代表的な構成は、電線が張架された電柱における柱上作業時の落下物を捕捉する落下物防止ネットであって、電柱の腕金に取り付けられる基部と、基部に所定の角度で開いて固定された少なくとも２本のアームを備えた支持具と、支持具に取り付けられ落下物を捕捉する略四角形状のメインネットと、を備えたことを特徴とする。
【００１２】
上記構成によれば、支持具のアームにメインネットを取り付けた状態の基部を、間接活線工法に用いられるヤットコ状の遠隔操作棒で把持して、電柱の腕金に取り付けることができる。すなわち当該落下物防止ネットは間接活線工法において使用することが可能である。したがって、作業員の高い安全性を確保し、作業効率の向上を図ることができる。そして、メインネットは所定の角度で開いた状態のアームに取り付けられるため常時開いた状態である。このため、当該落下物防止ネットは腕金に設置しても高い作業性を発揮することができ、作業現場である電柱や腕金の設置状況や巣営箇所による影響を受けることがない。
【００１３】
上記のメインネットは、その略中心に設けられ電柱の断面形状に対応した形状を有する取付孔と、取付孔からメインネットの外周縁まで至るスリットと、スリット部分の縁に設けられスリットを閉鎖するファスナー部材と、を備えるとよい。
【００１４】
かかる構成によれば、スリットを開いて取付孔に電柱を挿入し、ファスナー部材によってかかるスリットを閉鎖することにより、電柱の周囲にメインネットを配置することができる。したがって、電柱の周囲の領域の落下物に対応することが可能となる。また、電柱に取り付けられることによりメインネットひいては当該落下物防止ネットが安定して設置されるため強風等による揺れが抑制され、作業性の向上が図られる。
【００１５】
当該落下物防止ネットは、ほぼ帯状のサブネットを更に備え、サブネットは、下辺を前記メインネットに取付可能であり、下辺と対向する上辺を、柱上作業時に作業員が搭乗する高所作業車のバケットに取付可能であるとよい。なお「帯状」とは、落下物防止ネットからバケットに至る長尺状であればよく、長方形や台形、もしくはこれらの組合せであってもよい。例えば、落下物防止ネットに取り付ける辺はネットの幅にあわせ、バケットに取り付ける辺はバケットの幅にあわせた形状とすることができる。
【００１６】
上記構成によれば、作業対象となる電柱に取り付けられたメインネットすなわち作業現場と、高所作業車のバケットとの間にサブネットが配置される。このため、かかる作業現場とバケットとの間への落下物をも捕捉することが可能となり、鳥の巣を棒（例えばヤットコ）で手前側に引っ張り落とすができ、作業性と安全性の向上を図ることができる。
【００１７】
上記のアームは伸縮可能であるとよい。これにより、作業時以外はアームを縮めて小型化することができるため持ち運びが容易になる。また作業現場に応じてアームの長さを調整できるため、作業性の向上を図ることができる。
【００１８】
上記のサブネットは、ファスナー部材によってメインネットに取り付けられるとよい。かかる構成により、サブネットをメインネットに容易且つ確実に取付可能となる。
【発明の効果】
【００１９】
本発明によれば、間接活線工法において使用することができ、且つ作業現場の状況に拘われず高い作業性を発揮することが可能な落下物防止ネットを提供することができる。
【図面の簡単な説明】
【００２０】
【図１】本実施形態にかかる落下物防止ネットを適用する作業現場を示す図である。
【図２】本実施形態にかかる落下物防止ネットの使用態様図である。
【図３】図２に示す支持具の詳細図である。
【図４】図２に示すメインネットの詳細図である。
【図５】図２に示すサブネットの詳細図である。
【図６】支持具を取り付けた状態の電柱を示す図である。
【図７】支持具に加えてメインネットも取り付けた状態の電柱を示す図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
（作業現場）
図１は、本実施形態にかかる落下物防止ネットを適用する作業現場を示す図である。図１に示す作業現場１００では、電柱１０２に取り付けられた腕金１０４に、碍子１０６を介して電線１１０が張架されていて、かかる電線１１０（高圧線とも称される。）によって発電所（不図示）で発電され変電所（不図示）で変電された電気が送電される。本実施形態では、この電柱１０２の腕金１０４に作られた鳥の巣（以下、単に巣１０８と称する）を撤去する柱上作業において、落下物としてかかる巣１０８を補足する場合を例示して説明する。
【００２３】
（断線改修用冶具およびその取付方法）
図２は、本実施形態にかかる落下物防止ネットの使用態様図である。図２に示すように、本実施形態にかかる落下物防止ネット（以下、防止ネット２００と称する。）は、支持具２０２、メインネット２３０、およびサブネット２４０を備える。
【００２４】
図３は、図２に示す支持具２０２の詳細図である。図６は、支持具２０２を取り付けた状態の電柱１０２を示す図である。なお、理解を容易にするために、図３では、腕金１０４を太破線で図示している。
【００２５】
図３に示すように、支持具２０２は主に、基部２１０と、アーム２２０ａおよび２２０ｂとから構成される。基部２１０は、電柱１０２の腕金１０４（図１参照）に取り付けられる、いわゆる当該防止ネット２００のベースである。
【００２６】
本実施形態において、基部２１０は、上辺が開口したコの字形状の枠体部２１２と、枠体部２１２の上端に近傍に配置されるピン２１４とから構成される（図３参照）。ピン２１４は、一端が枠体部２１２の一方の上端２１２ａに支持されている。一方、ピン２１４の他端２１４ａは、上端２１２ａに対して図３（ａ）に示す矢印方向に回動可能である。図３（ａ）に示す状態では、枠体部２１２の上辺が開口しているため、基部２１０の内部に腕金１０４を配置する（挿入する）ことができる。
【００２７】
そして、回動させた他端２１４ａを回転させて、図３（ｂ）に示すように枠体部２１２の他方の上端２１２ｂに嵌合することにより、ピン２１４が上辺となって枠体部２１２が閉じた状態になる。これにより、図６に示すように、ピン２１４によって枠体部２１２（基部２１０）が腕金１０４に係止され、支持具２０２を電柱１０２に設置することが可能となる。
【００２８】
特に、本実施形態では、図３に示すようにピン２１４の他端２１４ａを環状にしている。これにより、遠隔操作棒（不図示）の先端に取り付けられたヤットコ状の先端具（不図示）をピン２１４の他端２１４ａの環に掛合することができる。したがって、基部２１０を間接活線工法によって腕金１０４に取付可能となる。
【００２９】
上記の基部２１０には、２本のアーム２２０ａおよび２２０ｂが所定の角度で開いた状態で固定される。アーム２２０ａおよび２２０ｂの各々の先端には、フック２２８ａおよびフック２２８ｂが取り付けられている。これにより、後述するメインネット２３０のフック穴２３２（図４参照）にフック２２８ａおよびフック２２８ｂを掛止し、メインネット２３０を支持具２０２に取り付けることが可能となる。
【００３０】
また本実施形態では、アーム２２０ａおよび２２０ｂを伸縮可能な構成としている。詳細には、アーム２２０ａおよび２２０ｂは、一端が基部２１０に接続される外筒２２２ａおよび２２２ｂ、かかる外筒２２２ａおよび２２２ｂ内を摺動可能な第１内筒２２４ａおよび２２４ｂ、および更に第１内筒２２４ａおよび２２４ｂを摺動可能であって先端にフック２２８ａおよび２２８ｂが取り付けられた第２内筒２２６ａおよび２２６ｂとから構成されている。
【００３１】
上記構成により、図３（ｂ）に示すアーム２２０ａおよび２２０ｂを、図３（ａ）に示すように第１内筒２２４ａおよび２２４ｂならびに第２内筒２２６ａおよび２２６ｂを外筒２２２ａおよび２２２ｂの内部に収容して縮めることができる。これによれば、作業時以外等において支持具２０２を小型化することができるため持ち運びが容易になる。また図６では、図３（ｂ）に示すように第１内筒２２４ａおよび２２４ｂならびに第２内筒２２６ａおよび２２６ｂの両方を完全に伸ばした状態ではなく、第１内筒２２４ａおよび２２４ｂのみを伸ばした状態としている。このように作業現場に応じてアーム２２０ａおよび２２０ｂの長さを調整できるため、作業性の向上が図られる。
【００３２】
なお、本実施形態においては、支持具２０２が２本のアーム２２０ａおよび２２０ｂを備える構成としたが、これに限定するものでない。支持具２０２は、少なくとも２本のアーム２２０ａおよび２２０ｂを備えていればよく、３本以上のアームを備える構成としてもよい。
【００３３】
またアーム２２０ａおよび２２０ｂは、必ずしも第１内筒２２４ａおよび２２４ｂならびに第２内筒２２６ａおよび２２６ｂからなる２段階の内筒から構成する必要はない。すなわち、アーム２２０ａおよび２２０ｂは、外筒２２２ａおよび２２２ｂのみからなりその先端にフック２２８ａおよび２２８ｂを取り付けた構成であってもよいし、外筒２２２ａおよび２２２ｂならびに第１内筒２２４ａおよび２２４ｂからなりその先端にフック２２８ａおよび２２８ｂを備える構成であってもよいし、第１内筒２２４ａおよび２２４ｂならびに第２内筒２２６ａおよび２２６ｂに加えて更なる内筒を備える構成としてもよい。
【００３４】
図４は、図２に示すメインネット２３０の詳細図である。図７は、支持具２０２に加えてメインネット２３０も取り付けた状態の電柱１０２を示す図である。なお、理解を容易にするために、図４では、電柱１０２を太破線で図示している。
【００３５】
図４に示すメインネット２３０は、上述した支持具２０２に取り付けられる略四角形状の網状部材である。かかるメインネット２３０の外周には、上述したアーム２２０ａおよび２２０ｂのフック２２８ａおよび２２８ｂを掛止する複数のフック穴２３２（図４では、代表して１つにのみ符号を付している。）を有する。
【００３６】
また本実施形態では、メインネット２３０は、上述したフック穴２３２に加えて、取付孔２３４、スリット２３６、ならびにファスナー部材２３８ａおよび２３８ｂを備える。取付孔２３４は、メインネット２３０の略中心に設けられた、電柱１０２（太破線にて図示）の断面形状に対応した形状の開口である。図４（ａ）に示すように、この取付孔２３４からメインネット２３０の外周縁２３０ａの間にはスリット２３６が形成されていて、かかるスリット２３６の縁には、それを閉鎖するファスナー部材（ハッチングにて図示。後述する第２ファスナー部材２３８ｃとの混同を避けるため、以下、第１ファスナー部材２３８ａおよび２３８ｂと称する。）が各々配置されている。
【００３７】
上記構成によれば、図４（ｂ）に示すようにスリット２３６を開いて取付孔２３４に電柱１０２を挿入することで、メインネット２３０が電柱１０２の周囲に配置され、第１ファスナー部材２３８ａおよび２３８ｂを合わせてスリット２３６を閉鎖すると（図４（ａ）参照）、メインネット２３０は切れ目を有さない１枚布となる。このように電柱１０２の周囲にメインネット２３０を配置することにより、電柱１０２の周囲の４方向のうちいずれか１方向だけでなく、４方向のすべての領域、すなわち電柱１０２の周囲のすべての領域の落下物（巣１０８の落下）に対応することが可能となる。
【００３８】
図６に示す電柱１０２に取り付けられた２本の支持具２０２のフック２２８ａおよび２２８ｂを、メインネット２３０の四隅のフック穴２３２に掛止すると、メインネット２３０がアーム２２０ａおよび２２０ｂ（支持具２０２）に取り付けられる。そして、上述したようにメインネット２３０を電柱１０２に取り付けると、かかる電柱１０２は図７に示す状態となる。このとき、上述したようにアーム２２０ａおよび２２０ｂは基部２１０に対して所定の角度で開いた状態であるため、そのアーム２２０ａおよび２２０ｂに取り付けられたメインネット２３０も自ずと開いた状態になる。したがって、メインネット２３０は、腕金１０４から引き離された巣１０８（落下物）を好適に捕捉可能である。
【００３９】
また図４（ａ）および図７に示すように取付孔２３４に電柱１０２が挿入される、換言すれば電柱１０２にメインネット２３０が取り付けられることにより、強風等によるメインネット２３０の揺れが抑制される。これにより、当該防止ネット２００の設置安定性ひいては作業性の向上が図られる。
【００４０】
なお、上述したように、本実施形態では、２本の支持具２０２によってメインネット２３０を支持しているが、かかる構成は例示にすぎず、これに限定するものではない。例えば、３本のアームを有する支持具であれば支持具は１本あればよく、２本のアームによってメインネット２３０の２隅を支持し、支持された２隅間の辺に対向する辺を残りの１本のアームによって支持することができる。同様に、４本のアームを有する支持具であっても１本あればよく、それらのアームによってメインネット２３０の４隅を支持することが可能である。
【００４１】
更に本実施形態では、メインネット２３０の外周の４辺のうち、１辺（本実施形態においてはスリット２３６を有する辺）の近傍に、後述するサブネット２４０の取付用の第２ファスナー部材２３８ｃ（ハッチングにて図示）が配置されている。なお、この第２ファスナー部材２３８ｃについては後に詳述する。
【００４２】
図５は、図２に示すサブネット２４０の詳細図である。図５（ａ）に示すサブネット２４０は、メインネット２３０、および後述する高所作業車のバケット１２０（図２参照）に取り付けられるほぼ帯状の網状部材である。「帯状」とは、落下物防止ネットからバケットに至る長尺状であればよく、長方形や台形、もしくはこれらの組合せであってもよい。本実施形態では、防止ネット２００に取り付ける辺は防止ネット２００の幅にあわせて広く、バケット１２０に取り付ける辺はバケット１２０の幅にあわせて狭くなった台形となっている。さらにバケット１２０の内部に余る部分は長方形となっていて、全体としては台形と長方形を連結した形状となっている。
【００４３】
サブネット２４０の外周にも、メインネット２３０と同様にフック穴２４２（図５では、代表して１つにのみ符号を付している。）が設けられている。これにより、サブネット２４０を、遠隔操作棒（不図示）の先端に取り付けられたヤットコ状の先端具（不図示）によって把持できるだけでなく、フック状の先端具（不図示）をフック穴２４２に引っ掛けて取り扱うことも可能となる。
【００４４】
本実施形態では、サブネット２４０の４辺のうち、下辺２４０ｂをメインネット２３０に取り付け、かかる下辺２４０ｂと対向する上辺２４０ａを高所作業車のバケット１２０に取り付けて使用する。詳細には、サブネット２４０の下辺２４０ｂ近傍には、サブネット側ファスナー部材２４８が配置されている。メインネット２３０の第２ファスナー部材２３８ｃ（図４参照）とサブネット側ファスナー部材２４８とを接続することによって、図５（ｂ）に示すように、サブネット２４０をメインネット２３０に取り付けることができる。このように、メインネット２３０およびサブネット２４０の取付にファスナー部材を用いることにより、容易且つ確実な取付が可能となる。
【００４５】
一方、本実施形態では、サブネット２４０の上辺２４０ａを、バケット１２０に設置された取付冶具１２２（図２参照）によってかかるバケット１２０に取り付ける構成としている。図６に示す電柱１０２に取り付けられたメインネット２３０に、上述したようにサブネット２４０の下辺２４０ｂを取り付けた後、サブネット２４０の上辺２４０ａを、柱上作業時に作業員が搭乗する高所作業車（ともに不図示）のバケット１２０に取り付けることにより、電柱１０２は図２に示す状態となる。
【００４６】
上記構成によれば、図２に示す作業現場１００において、作業対象となる電柱１０２に取り付けられたメインネット２３０と、高所作業車のバケット１２０との間にサブネット２４０が配置される。これにより、図２に示す巣１０８が、棒状の工具で突付いたりヤットコ状の工具（ともに不図示）で挟んだりして腕金１０４から引き離され、メインネット２３０（作業現場１００）とバケット１２０との間へ落下した場合においても、落下する巣１０８（落下物）を好適に捕捉することが可能となる。したがって、作業性および作業時の安全性の向上が図られる。
【００４７】
なお、上述した構成は一例であり、これに限定するものではない。サブネット２４０は、取付冶具１２２以外を用いてバケット１２０に取り付けられてもよく、例えば、サブネット２４０の上辺２４０ａにもファスナー部材を設け、バケット１２０側にもそれに対応するファスナー部材を設けて、それらによってサブネット２４０をバケット１２０に取り付ける構成としてもよい。また上述したファスナー部材としては、具体的には面ファスナーや線ファスナーを例示することができるがこれに限定するものではない。
【００４８】
上記説明したように、本実施形態にかかる落下物防止ネット（防止ネット２００）によれば、間接活線工法において使用可能であるため、作業員の高い安全性を確保し、作業効率の向上を図ることができる。そして、メインネット２３０は所定の角度で開いた状態のアーム２２０ａおよび２２０ｂに取り付けられるため常時開いた状態である。したがって、当該落下物防止ネット２００は、作業現場１００である電柱１０２の設置状況によることなく高い作業性を発揮することが可能である。
【００４９】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、電線が張架された電柱における柱上作業時の落下物を捕捉する落下物防止ネットとして利用することができる。
【符号の説明】
【００５１】
１００…作業現場、１０２…電柱、１０４…腕金、１０６…碍子、１０８…巣、１１０…電線、１２０…バケット、１２２…取付冶具、２００…防止ネット、２０２…支持具、２１０…基部、２１２…枠体部、２１２ａ…上端、２１２ｂ…上端、２１４…ピン、２１４ａ…他端、２２０ａ…アーム、２２０ｂ…アーム、２２２ａ…外筒、２２２ｂ…外筒、２２４ａ…第１内筒、２２４ｂ…第１内筒、２２６ａ…第２内筒、２２６ｂ…第２内筒、２２８ａ…フック、２２８ｂ…フック、２３０…メインネット、２３０ａ…外周縁、２３２…フック穴、２３４…取付孔、２３６…スリット、２３８ａ…第１ファスナー部材、２３８ｂ…第１ファスナー部材、２３８ｃ…第２ファスナー部材、２４０…サブネット、２４０ａ…上辺、２４０ｂ…下辺、２４２…フック穴、２４８…サブネット側ファスナー部材
【図１】
2012205324.tif 000003
【図２】
2012205324.tif 000004
【図３】
2012205324.tif 000005
【図４】
2012205324.tif 000006
【図５】
2012205324.tif 000007
【図６】
2012205324.tif 000008
【図７】
2012205324.tif 000009